(57)【要約】【課題】可搬式記憶メディアの抜挿やロールシートの装着などのユーザの作業性を低下させること無く、可搬式記憶メディアへの接触を回避することが可能なプリント装置を提供する。【解決手段】メディア装着口が形成された第１の壁１０１、第２および第３の壁１０２、１０３で囲まれた凹部が設けられている。ロールシートを保持するスプール７に付属したフランジ３１を凹部の上に載せた状態において、フランジ３１の最下点Ｐが、メディア装着口１０４よりも鉛直方向上方に位置するように配置されている。スプール７がメディア装着口１０４の近傍に転がってしまっても、フランジが可搬式記憶メディア１０５に接触することが回避される。【選択図】図５
2013223956.tif 000002
【特許請求の範囲】
【請求項１】
ロールシートが支持されるスプールの端部を回転可能に保持する保持部と、
前記保持部から供給されるシートにプリントを行うプリント部と、
可搬式記憶メディアが装着可能である装着口が設けられている凹部と、を有し、
前記スプールの端部が前記凹部の上に位置しても、前記端部は前記装着口に装着された可搬式記憶メディアに接触しないことを特徴とするプリント装置。
【請求項２】
前記凹部は、第１の壁、第２の壁および第３の壁によって囲まれて形成され、且つ前記第１の壁に対向する側には壁が設けられておらず、前記第１の壁に前記装着口が設けられており、
前記装着口に装着された前記可搬式記憶メディアは、前記第１の壁から前記凹部の内部において突き出ることを特徴とする、請求項１記載のプリント装置。
【請求項３】
前記スプールの端部であるフランジが前記凹部の上に置かれたとき、前記フランジの最下点が、前記第１の壁における前記装着口よりも鉛直方向の上方に位置するように、前記凹部の寸法が決められていることを特徴とする、請求項２記載のプリント装置。
【請求項４】
前記可搬式記憶メディアは、前記スプールの回転軸の方向と平行な方向から前記装着口に装着されることを特徴とする、請求項１から３のいずれか１項に記載のプリント装置。
【請求項５】
前記凹部は、前記保持部と前記プリント装置をユーザが操作するための操作部との間に設けられていることを特徴とする、請求項１から４のいずれか１項に記載のプリント装置。
【請求項６】
前記凹部と前記保持部の間に、前記スプールの端部を前記保持部に導くための載置台が設けられていることを特徴とする、請求項１から５のいずれか１項に記載のプリント装置。
【請求項７】
前記第１の壁において、前記装着口が形成されている面の反対側の面は、前記スプールの回転軸の方向において、前記保持部に保持される前記スプールの端部であるフランジよりも外側に位置していることを特徴とする、請求項２記載のプリント装置。
【請求項８】
前記凹部を構成する構成物が前記プリント装置の外装面から突き出るように、もしくは前記凹部が前記外装面よりもへこむように設けられていることを特徴とする、請求項１から７のいずれか１項に記載のプリント装置。
【発明の詳細な説明】
【技術分野】
【０００１】
本発明は、可搬式記憶メディアを装着することが可能なプリント装置に関する。
【背景技術】
【０００２】
特許文献１には、プリント装置の外装部分に凹形状部を設け、その中に可搬式記憶メディアなどの各種外部装置を接続するためのコネクタを収納する構成が開示されている。
【先行技術文献】
【特許文献】
【０００３】
【特許文献１】特開２００４−２３０７３７号公報
【発明の概要】
【発明が解決しようとする課題】
【０００４】
ところで、特許文献１のように可搬式記憶メディアのためのコネクタを備える場合には、ユーザの作業性を向上させるため、コマンドの入出力を行う操作部や、シートの着脱部の近傍に上記コネクタを設けることが好ましい。
【０００５】
しかしながら、特許文献１のように凹部内にコネクタを設けたとしても、例えばロール状に巻かれたロールシートを着脱する場合等は、コネクタに接続された可搬式記憶メディアに、ロールシートの表面やこれを保持するスプールが接触してしまうおそれがあった。すなわち、可搬式記憶メディアの抜挿を含むユーザの作業性と、可搬式記憶メディアへの接触の防止を両立させることは困難であった。
【０００６】
本発明は上記課題を解決するためになされたものである。その目的とするところは、可搬式記憶メディアの抜挿を含むユーザの作業性を低下させること無く、可搬式記憶メディアへの接触を回避することが可能なプリント装置を提供することである。
【課題を解決するための手段】
【０００７】
そのために本発明は、ロールシートが支持されるスプールの端部を回転可能に保持する保持部と、前記保持部から供給されるシートにプリントを行うプリント部と、可搬式記憶メディアが装着可能である装着口が設けられている凹部と、を有し、前記スプールの端部が前記凹部の上に位置しても、前記端部は前記装着口に装着された可搬式記憶メディアに接触しないことを特徴とする。
【発明の効果】
【０００８】
本発明によれば、シート保持部と可搬式記憶メディアを比較的に近傍に配置しておきながら、これらの物理的な接触を回避しつつ、シート保持部に対するスプールの装着および可搬式記憶メディアの接続を容易に行うことが可能となる。
【図面の簡単な説明】
【０００９】
【図１】プリント装置の概略構成を示した斜視図である。
【図２】（ａ）および（ｂ）は、ロールシートをスプールに装着する様子を示す図である。
【図３】シート保持部において、ロールシートを着脱する様子を説明する図である。
【図４】（ａ）および（ｂ）は、実施例１の可搬式記憶メディア装着口近傍の拡大図である。
【図５】下流側防護段差部と上流側防護段差部と可搬式記憶メディア装着口の高さ関係を示す断面図である。
【図６】（ａ）および（ｂ）は、上流側防護段差部上端部を載置台として併用する場合の構成を示す斜視図および上面図である。
【図７】実施例２における可搬式記憶メディア装着口近傍の拡大図である。
【図８】実施例３における可搬式記憶メディア装着口近傍の拡大図である。
【発明を実施するための形態】
【００１０】
以下、図面を参照しながら本発明の具体的な実施例を説明する。
【実施例１】
【００１１】
図１は、本発明を適用可能なプリント装置の概略構成を示した斜視図である。プリント装置１のプリント部などの内部機構は、その周囲を左カバー２、右カバー３、排紙カバー４および不図示の開閉カバーに囲まれ、保護されている。開閉カバーは図示しないヒンジを中心に回転し、シートの詰まりを取り除いたり、プリント装置の各種メンテナンスを行ったりするときに、ユーザによって開閉される。画像記録媒体である連続シートがロール状に巻かれて成るロールシート６は、軸となるスプール７へ取り付けられた後に、プリント装置１のシート保持部８へ装着され、スプールの両側の端部が回転可能に保持される。ユーザからのコマンドを受信する操作ボタン１０や、プリント装置の状況をユーザに表示するパネル９の近傍には、可搬式記憶メディア（ＵＳＢメモリ、メモリカードなど）をプリント装置に装着するためのメディア装着口が設けられている。メディア装着口の詳細については後述する。
【００１２】
キャリッジモータ１４は、プリントヘッド１１を主走査方向Ｘに往復動するためのモータである。キャリッジモータ１４の回転軸にはプーリ１６が設けられ、プーリ１６にはタイミングベルト１７がＸ方向に張架された状態で掛けられ、更にタイミングベルト１７の一部にはキャリッジ１１が固定されている。このような構成により、キャリッジ１１は、キャリッジモータ１４の正逆方向への回転によって、メインレール１８に案内支持されながら、Ｘ方向に往復移動が可能となっている。
【００１３】
キャリッジ１１に備えられたヘッドホルダ１２には、プリントヘッド１３が着脱自在に装着される。プリントヘッド１３には、不図示のインクタンクユニットからインク供給チューブを介してインクが供給されるとともに、キャリッジ１１の移動に追従可能なフレキシブルケーブル２２を介してインクを吐出するための記録信号が送信される。このような構成のもと、プリントヘッド１３は、キャリッジ１１がＸ方向に移動する最中に記録信号に応じた吐出動作を行い、これによりシート６に１バンド分の画像を記録する。プリントヘッド１１によって記録が行われる領域にはプラテン１９が配備されており、プラテン１９がシートを裏面から支持することで、記録面が平滑に維持される様になっている。
【００１４】
シート保持部８は、スプール７に保持されたロールシート６を装着可能な構成になっており、記録動作が開始されると、スプール７を回転しロール状のシートの先端をプリントヘッド１１の記録領域まで給送する。
【００１５】
搬送モータ１５は、シート６を副走査方向Ｙに搬送するためのモータである。搬送モータ１５は、不図示のタイミングベルトを介して搬送ローラ２１を回転駆動させる。シート保持部８から装置本体内に給送されたシート６は、搬送ローラ２１とこれに従動するピンチローラ２０とで構成されるローラ対に挟持され、搬送ローラ２１の回転に伴ってＹ方向に搬送される。搬送ローラ２１と回転軸が一体化されたエンコーダフィルム２２には、その全周において等間隔にスリットが刻まれている。不図示のエンコーダセンサがこのスリットの通過回数を検出することにより、搬送ローラ２１の回転量すなわちシート６の搬送量が測定され、その測定量は搬送動作のフィードバック制御に用いられる。
【００１６】
以上説明したようなプリントヘッド１３の記録走査と、シート６の搬送動作とを交互に繰り返すことにより、シートに所定の画像が段階的に形成されていく。
【００１７】
図２（ａ）および（ｂ）は、ロールシート６をスプール７に装着する様子を示す図である。図２（ａ）は装着前、同図（ｂ）は装着後を夫々示している。スプール７は主に、ロールシート６を保持するスプール軸３０と、スプール軸３０に固定されている固定フランジ３１、およびスプール軸３０から取り外し可能な可動フランジ３３によって構成されている。ロールシート６をシート保持部８に装着する際、可動フランジ３３は図２（ａ）のように取り外され、スプール軸３０がロールシート６の紙筒３２に挿入される。その後、ロールシート６は、その端部３５が固定フランジ３１の端部３４に突き当たるまで挿入され、図２（ｂ）のように突き当てられた状態で可動フランジ３３がスプール軸３０に取り付けられる。その際、可動フランジ３３に設けられたロック機構３６によって、可動フランジ３３の位置が固定され、さらにロールシート６がスプール軸７に固定される。なお、本実施例において、可動フランジ３３の固定位置はロールシート６の幅に応じて変動可能である。また、ここでは、スプール７にロールシートの紙筒３２を装着する構成で説明したが、例えばロールシート６の紙筒３２に２つのフランジを直接取り付ける構成とすることも出来る。
【００１８】
図３は、プリント装置１のシート保持部８において、ロールシート６を着脱する様子を説明する図である。ロールシート６を交換する際、ユーザはパネル１０に表示される指示に従って操作ボタン１０を操作しながら、両端にフランジを備えたスプール７をシート保持部８から取り外す。その後、図２で説明した工程と逆の順番で、ロールシート６の紙筒３２をスプール７から取り外し、新たなロールシート６を装着した後、再びシート保持部８に装着する。
【００１９】
本実施例のプリント装置１において、シート保持部８は操作ボタン１０やパネル９よりもＹ方向上流側に配備されている。これらシート保持部８とパネル９等の操作部との間には、可搬式記憶メディア１０５を接続するための可搬式記憶メディアのメディア装着口１０４が設けられている。可搬式記憶メディア１０５は、ＵＳＢメモリやメモリカードなどのような記憶メディアであり、プリント装置１が記録可能な画像データを保存することも出来る。可搬式記憶メディア１０５に記憶された画像データをプリントする場合、ユーザは可搬式記憶メディア１０５を、図の−Ｘ方向に移動してメディア装着口１０４へ挿入する。そして、パネル９を確認しながら操作ボタン１０を操作することにより、可搬式記憶メディア１０５に記憶された画像データをプリント部でプリントさせることが出来る。この際、シート保持部８に装着されているロールシート６を、画像データに適したサイズに取り替える場合もある。このような一連の作業をユーザが滞りなく行うことが出来るようにするため、また、電気基盤や配線などを効果的に配置するため、シート保持部８、操作ボタン１０、パネル９及びメディア装着口１０４は、比較的近い位置に配備されている。
【００２０】
図４（ａ）および（ｂ）は、メディア装着口１０４の近傍を詳しく説明するための拡大図である。図４（ａ）は可搬式記憶メディア１０５の挿入前、同図（ｂ）は挿入後を夫々示している。本実施例において、可搬式記憶メディア１０５は、中央防護段差部１０１の壁中央部に設けられたメディア装着口１０４に挿入される。挿入された状態および抜き差しを行う状態において、可搬式記憶メディア１０５は、Ｙ方向上流側に設けられた上流側防護段差部１０３、Ｙ方向下流側に設けられた下流側防護段差部１０２および中央防護段差部１０１によって挟まれ、その３方から保護されている。ここで、中央防護段差部１０１が第１の壁、下流側防護段差部１０２が第２の壁、上流側防護段差部１０３が第３の壁となる。つまり、第１の壁、第２の壁および第３の壁によって囲まれて凹部が形成され、且つ第１の壁に対向する側には壁が設けられていない構造となっている。
【００２１】
本実施例において、下流側防護段差部１０２及び上流側防護段差部１０３は、中央防護段差部１０１と略垂直で、可搬式記憶メディア１０５の抜挿方向に平行して延在する。また、可搬式記憶メディア１０５を抜挿する方向は、スプール７をシート保持部８に装着する方向とも略垂直になっている。そして、下流側防護段差部１０２の上端を画成する下流側防護段差部上端部１０７と、上流側防護段差部１０３の上端を画成する上流側防護段差部上端部１０８は、メディア装着口１０４に対して十分な高さを有している。
【００２２】
図５は、下流側防護段差部上端部１０７、上流側防護段差部上端部１０８、およびメディア装着口１０４の高さ関係を詳しく説明するための断面図である。本実施例のように、シート保持部８がメディア装着口１０４の近傍にある場合、スプール７の着脱を行う際に、誤ってスプール７がメディア装着口１０４の側に転がってしまう場合もある。このような場合であっても、下流側防護段差部上端部１０７と上流側防護段差部上端部１０８の距離ｗおよび夫々の高さｈ１、ｈ２が図５に示すような関係であれば、スプール７が可搬式記憶メディア１０５に接触するおそれはない。すなわち、スプール７上の固定フランジ３１の外接円が、下流側防護段差部上端部１０７及び上流側防護段差部上端部１０８の内側端部で支持された状態において、その最下点Ｐがメディア装着口１０４よりも上方に位置するように配置されていればよい。この際、距離ｗに対してｈ１、ｈ２をあまり高くすると、下流側防護段差部１０２、上流側防護段差部１０３および中央防護段差部１０１に囲まれた領域に可搬式記憶メディア１０５を挿入する作業自体が困難になる。よって、可搬式記憶メディア１０５の抜挿がスムーズに行える空間を確保しながらも、上記条件が満たされるような凹部の寸法となるよう、下流側防護段差部１０２、上流側防護段差部１０３および中央防護段差部１０１を配置している。なお、可搬式記憶メディア１０５の抜挿に影響のない程度であれば、空間の内部にリブのような段差部を設けることも可能である。
【００２３】
図６（ａ）および（ｂ）は、上流側防護段差部上端部１０８をスプールの載置台５１として併用する場合の構成を示す斜視図および上面図である。本例において、下流側防護段差部上端部１０７、上流側防護段差部上端部１０８および中央防護段差部１０１の上端はＺ方向（鉛直方向）において同じ高さの水平面を形成しており、上流側防護段差部上端部１０８は同じ高さの載置台５１に連続している。更に、載置台５１は下り坂であるガイド溝５２に連続し、ガイド溝５２はシート保持部８へと連続している。このような構成のもと、ユーザはロールシート６を装着したスプール７を載置台５１の近傍に置くことにより、これをスムーズにシート保持部８へ送り込むことが出来る。このとき、上流側防護段差部上端部１０８は、載置台５１の一部として役立っている。
【００２４】
また、本実施例において、中央防護段差部１０１や載置台５１の−Ｘ方向側の面、すなわち可搬式記憶メディア装着口が形成されている面の反対側の面は、スプール７のＸ方向への移動（装置の外側へのはみ出し）を規制するフランジガイド壁５３となっている。フランジガイド壁５３は、スプール７がシート保持部８に正常に装着された時に固定フランジ３１を位置決めする側壁１０９とＸ方向において同じ位置にある。このため、フランジガイド壁５３は、載置台５１のスプール７がＸ方向へ移動するのを規制しながらも、これをシート保持部８の正常な位置に導くように機能する。その結果、ユーザは、スプール７のＸ方向への位置合わせを容易に行うことが可能となる。
【００２５】
以上説明した様に、本実施例によれば、シート保持部と可搬式記憶メディア装着部を比較的に近傍に配置しておきながら、これらの物理的な接触を回避しつつ、シート保持部に対するスプールの装着および可搬式記憶メディアの接続を容易に行うことが可能となる。
【実施例２】
【００２６】
図７は、本実施例におけるメディア装着口１０４の近傍を詳しく説明するための拡大図である。本実施例においても、下流側防護段差部上端部１０７と上流側防護段差部上端部１０８の距離ｗおよび夫々の高さｈ１、ｈ２は、可搬式記憶メディア１０５の抜挿しに影響がない程度に、図５で説明した関係を満たしている。そして、本実施例においても、下流側防護段差部上端部１０７および上流側防護段差部上端部１０８は同じ高さの水平面を形成しており、上流側防護段差部上端部１０８は同じ高さの載置台５１に連続している。但し、本実施例において、中央防護段差部１０１の上端は、下流側防護段差部上端部１０７および上流側防護段差部上端部１０８よりも鉛直方向において低い位置に配置されている。これは、ユーザが、下流側防護段差部上端部１０７および上流側防護段差部上端部１０８にスプール７を誤って載せてしまった場合でも、スプール７を持ち上げ直すことなく、内側の正常な位置に戻し易くするためである。そのため、再度図５を参照するに、本実施例の中央防護段差部１０１の上端は、固定フランジ３１の外接円が下流側防護段差部上端部１０７及び上流側防護段差部上端部１０８の内側端部で支持された状態において、その最下点Ｐよりも下方にある必要がある。このようにすれば、ユーザが図５のようにスプール７を載せてしまっても、固定フランジ３１が可搬式記憶メディア１０５に接触したり、固定フランジ３１が中央防護段差部１０１に接触したりすることなく、スプール７を容易に正常な位置に移動することが出来る。
【００２７】
この際、下流側防護段差部上端部１０７および上流側防護段差部上端部１０８においては、段差や傾斜を設けることにより、＋Ｘ方向側の高さを−Ｘ方向側の高さより高くして、上述したようなスプールの移動をより簡単にすることも出来る。また、上流側防護段差部上端部１０８の高さを載置台５１よりも高くすることによって、載置台５１に載せられたスプール７が逆方向（＋Ｙ方向）に移動するのを抑制することもできる。
【００２８】
本実施例によれば、スプール７と可搬式記憶メディア１０５を比較的に近傍に配置しておきながら、これらの物理的な接触を回避しつつ、シート保持部８に対するスプール７の装着および可搬式記憶メディア１０５の接続を容易に行うことが出来る。また、誤ってスプール７が可搬式記憶メディア１０５の上方に載せ置かれた場合であっても、これを用意に正常な位置に戻すことが出来る。
【実施例３】
【００２９】
図８は、本実施例におけるメディア装着口１０４の近傍を詳しく説明するための拡大図である。本実施例においても、下流側防護段差部上端部１０７と上流側防護段差部上端部１０８の距離ｗおよび夫々の高さｈ１、ｈ２は、可搬式記憶メディア１０５の抜挿しに影響がない程度に、図５で説明した関係を満たしている。先の実施例では、可搬式記憶メディア１０５を３方から保護する凹部を形成する、上流側防護段差部１０３、下流側防護段差部１０２および中央防護段差部１０１からなる構成物は、パネル９および載置台５１を繋ぐ平面（外装面）から突き出るように設けられていた。しかし、本実施例において、これら３つの段差部はパネル９および載置台５１を繋ぐプリント装置の外装面に対しへこむように設けられている。このような構成とすることで、装置全体の凹凸を抑え、段差部に対する様々な接触を回避することが出来る。
【００３０】
そして、本実施例のような凹部構成においても、上記実施例２と同様の構成を取り入れることが出来る。すなわち、中央防護段差部１０１の高さを、下流側防護段差部上端部１０７と上流側防護段差部上端部１０８よりも低くすることにより、誤って載せ置きされたスプールを用意に正常の位置に戻すことが出来る。また、下流側防護段差部上端部１０７および上流側防護段差部上端部１０８において、＋Ｘ方向側を−Ｘ方向側より高くすることにより、上記スプールの移動をより簡単にすることも出来る。更に、上流側防護段差部上端部１０８の高さを載置台５１よりも高くすることによって、載置台５１に載せられたスプール７が逆方向（＋Ｙ方向）に移動するのを抑制することもできる。
【符号の説明】
【００３１】
１        プリント装置
６        ロールシート
７        スプール
８        シート保持部
９        パネル
１０        操作ボタン
１３        プリントヘッド
３１        固定フランジ
３３        可動フランジ
１０１        中央防護段差部
１０２        下流側防護段差部
１０３        上流側防護段差部
１０４        メディア装着口
１０５        可搬式記憶メディア
１０７        下流側防護段差部上端部
１０８        上流側防護段差部上端部
【図１】
2013223956.tif 000003
【図２】
2013223956.tif 000004
【図３】
2013223956.tif 000005
【図４】
2013223956.tif 000006
【図５】
2013223956.tif 000007
【図６】
2013223956.tif 000008
【図７】
2013223956.tif 000009
【図８】
2013223956.tif 000010